(57)【特許請求の範囲】
【請求項１】
期間毎に変化する圧縮率で符号化されたデータを記録トラックに記録した記録面を複数層有するディスクを再生可能なディスク再生装置であって、
前記ディスクからデータを再生するピックアップと、
前記ピックアップにより再生されたデータを記憶する記憶手段と、
前記ピックアップを前記ディスクの内周側へ移動させるトラックジャンプ制御、または、前記ピックアップによる前記ディスクの再生位置を別の記録層へフォーカスジャンプするフォーカスジャンプ制御を行うピックアップ制御手段と、を具備しており、
前記ピックアップ制御手段は、前記記憶手段のデータ蓄積量を検出して蓄積量が所定のスレッショルド以上になった時、前記記憶手段へのディジタルデータの書き込みを中断し、同時に前記ディスクからディジタルデータを読み出す前記ピックアップの位置を内周側に移動させるようにトラックジャンプ制御し、トラックジャンプした位置からトラックジャンプする前に再生していた位置に戻ってくるようにピックアップを制御するとともに、前記トラックジャンプ制御が行われている間は、前記フォーカスジャンプ制御を行わない
ことを特徴とするディスク再生装置。
【請求項２】
請求項１に記載のディスク再生装置において、
前記トラックジャンプ制御は、前記記憶手段に記憶されたデータの蓄積量が所定の値を超えたときに行われることを特徴とするディスク再生装置。
【請求項３】
請求項１または２に記載のディスク再生装置において、
前記ピックアップ制御手段は、トラックジャンプ制御中に前記フォーカスジャンプ命令信号を受け取ったときは、前記トラックジャンプ制御が終了した時点で、フォーカスジャンプ制御を行うことを特徴とするディスク再生装置。
【請求項４】
請求項１、２または３に記載のディスク再生装置において、
前記ディスクは片側にのみ記録層を有することを特徴とするディスク再生装置。
【請求項５】
請求項１、２または３に記載のディスク再生装置において、  前記ディスクは両側面に記録層を有することを特徴とするディスク再生装置。
【発明の詳細な説明】
【０００１】
【発明の属する技術分野】
本発明は、期間毎に異なる圧縮率で符号化されたビデオデータおよび／またはオーディオデータが複数層に記録されているディスクを再生するディスク再生装置に関する。
【０００２】
【従来の技術】
期間毎に異なる圧縮率で符号化されたビデオデータおよび／またはオーディオデータなどのディジタルデータを再生するディスク再生装置として、先に出願した特願平６−１２９２１６号「ディスク再生装置」や特願平６−１３０５５０号「ディスク再生装置」に詳しく記載されている。
【０００３】
これらのディスク再生装置の特徴は、バッファメモリの充足度に応じてピックアップを１トラック内周側に移動させる。そして、移動させた位置にピックアップが再生し戻ってくるまで、バッファメモリには再生したディジタルデータを書き込まないように制御する。以下では、この制御のことをトラックジャンプ制御と称す。このようなトラックジャンプ制御を行なうことにより、期間毎に異なる圧縮率で符号化されたディジタルデータを再生させることができる。
【０００４】
【発明が解決しようとする課題】
しかし、上記従来技術では、期間毎に異なる圧縮率で符号化されたビデオデータおよび／またはオーディオデータなどのディジタルデータが複数層に記録されているようなディスクを再生する場合、トラックジャンプ制御を行なっている間にデータの読み出し層を移動すると、トラックジャンプ制御を開始した位置（アドレス）を再び探索することができなくなってしまうという問題がある。
【０００５】
【課題を解決するための手段】
上記課題を解決するために、本発明では、ディスクから読み出されたディジタルデータを一旦記憶するバッファメモリへの書き込みを中断し、ディスク再生装置にトラックジャンプ制御を行なっている間は、ディジタルデータの読み出す層を切換えないようにする。
【０００６】
詳細に云えば、ディスクから再生されたディジタルデータは、一旦バッファメモリに格納され、ディジタルデータを伸長する復号化手段からの要求に応じてバッファメモリからディジタルデータを出力して行く。ビデオデータを考えた場合、ビデオ信号の表示フレームレートは一定であるが、ディスクから再生されてくるビデオデータは、期間毎に圧縮率を変化させているため、１フレームの表示に必要な情報量は時間的に変化する。このため、バッファメモリはオーバーフロー又はアンダーフローしてしまう。
【０００７】
本発明では、バッファメモリの充足度に応じてピックアップを内周側にトラックジャンプさせる。そして、ジャンプする前に再生していた位置にピックアップが再生し戻ってくるまではバッファメモリへのデータの書き込みは行なわない。
【０００８】
このように、期間毎に圧縮率が異なるディジタルデータを再生している場合、バッファメモリの充足度に応じてピックアップのトラックジャンプ制御が随時行われていることになる。
【０００９】
そこで本発明では、ディジタルデータの読み出す層を切換えるためのフォーカスジャンプ命令が入力された場合、まずトラックジャンプ制御の状態を監視し、トラックジャンプ制御が行われていない時は、即座にピックアップ制御手段に対してフォーカスジャンプ制御を出力し、トラックジャンプ制御が行われている時は、トラックジャンプ制御が終了した時点でフォーカスジャンプ制御信号をピックアップ制御手段に出力することにより、時間的に圧縮率が異なるディジタルデータが複数層に記録されているディスクを再生することができる。
再度取り纏めて説明すると、本発明では、ピックアップをディスクの内周側へ移動させるトラックジャンプ制御は、バッファメモリの充足度に応じてピックアップを１トラック内周側に移動させ、移動させた位置にピックアップが再生し戻ってくるまで、バッファメモリには再生したディジタルデータを書き込まないように制御することである。そして、このトラックジャンプ制御を行うピックアップ制御手段は、バッファメモリのデータ蓄積量を検出して蓄積量が所定のスレッショルド以上になった時、バッファメモリへのディジタルデータの書き込みを中断し、同時にディスクからディジタルデータを読み出すピックアップの位置を内周側に移動させるようにトラックジャンプ制御し、トラックジャンプした位置からトラックジャンプする前に再生していた位置に戻ってくるようにピックアップを制御するとともに、トラックジャンプ制御が行われている間は、フォーカスジャンプ制御を行わないようにするものである。
【００１０】
【発明の実施の形態】
以下、本発明の実施形態を図面を用いて詳細に説明する。
【００１１】
図１は、本発明の第１の実施形態を示すブロック図である。図１において、１はディスクであり、期間毎に異なる圧縮率で符号化されたビデオデータおよび／またはオーディオデータが２層に記録されている。以下の説明ではディスク１は片側に２層記録されているディスクを例に挙げ説明していくが、これに限定されるものではない。
【００１２】
２はモータである。３はピックアップであり、ディスク１に記録されているディジタルデータを読み出す。４はモータ制御回路であり、モータ２を線速度一定で回転するように制御する。５はピックアップ制御回路であり、ピックアップのフォーカス、トラッキング制御及び移送制御などの各制御を行なう。６はプリアンプであり、ピックアップ３により再生された信号を増幅及び波形整形する。
【００１３】
７はディジタル信号処理回路であり、誤り訂正などのディスク１の記録フォーマットに従ったディジタル信号処理を行なう。８はデ・スクランブル回路であり、データ中の同期信号の検出やスクランブルの解除を行なう。９はバッファメモリであり、ディスクから再生されたディジタルデータを一時保持する。１０は復号化回路であり、ディスク１から再生された時間的に変化する圧縮率で符号化されているディジタルデータを伸長する。
【００１４】
１１は出力端子であり、復号化回路９により伸長された信号を出力する。１２はバッファメモリ制御回路であり、バッファメモリ９の充足度に応じてトラックジャンプ命令信号１０１を出力する。１３は、入力端子であり、再生する層を切換えるフォーカスジャンプ命令信号が入力される。
【００１５】
１４は第１の実施形態における主要部であるシステム制御用のマイコンであり、入力されたトラックジャンプ命令信号１０１、フォーカスジャンプ命令信号１０２によりピックアップ制御回路５へトラックジャンプ制御信号１０３およびフォーカスジャンプ制御信号１０４を出力しピックアップ制御回路５を制御、バッファメモリ制御回路１２の書き込み、及び読み込み制御、モータ制御回路４の制御、及びディスク再生装置のシステム制御等を行なう。
【００１６】
次に図１に示した第１の実施形態によるディスク再生装置の動作を詳細に説明する。
【００１７】
図２には、本発明によるディスク再生装置において再生するディスク１の断面図を示す。図に示すようにビデオデータおよび／またはオーディオデータのディジタルデータは第１層及び第２層に夫々記録されている。図２においては、前記第１層及び第２層はディスクの片側面に配置されているが、前記第１層及び第２層がディスクの両側面にそれぞれ配置されても良いことは当然である。また、記録されているディジタルデータは、時間的に圧縮率を変化させて符号化されている。
【００１８】
ディスク１から第１層に記録されているディジタルデータを再生する場合、まず、システム制御用マイコン１４は、ピックアップ制御回路５へピックアップ制御信号１０５を出力する。そして、ピックアップ制御回路５は、第１層のデータを再生するようピックアップのフォーカス、及びトラッキングを制御する。この時のピックアップ３のフォーカスは、図２に示すように第１層の記録面にフォーカスが合うようになる（図２中のフォーカス１）。
【００１９】
ディスク１から再生された信号は、プリアンプ回路６、ディジタル信号処理回路７、デ・スクランブル回路８を経てバッファメモリ９に書き込まれる。バッファメモリ制御回路１２は、バッファメモリ９の充足度に応じてシステム制御用マイコン１４にトラックジャンプ命令信号１０１を出力する。
【００２０】
次に、バッファメモリ制御回路１２の動作を図３を用いて簡単に説明する。詳細は、先に出願した特願平６−１２９２１６号「ディスク再生装置」や特願平６−１３０５５０号「ディスク再生装置」に記載してある。
【００２１】
ディスク１に記録されているディジタルデータは、上記したように時間的に圧縮率が異なっているため、ディスク１から再生されてくるデータ転送レートと、復号化回路へ入力するデータ転送レートに差が生じる。そのためバッファメモリを設けて、その差を吸収する。
【００２２】
図３において、時刻ｔ１においてバッファメモリ蓄積量のｆｕｌｌ状態を検出（図３（ｂ）参照）すると、バッファメモリ制御回路１２はシステム制御用マイコン１４へトラックジャンプ命令信号１０１（図３（ｃ）参照）を出力する。
【００２３】
この信号を受けたシステム制御用マイコン１４はピックアップ制御回路５へトラックジャンプ制御信号１０５を出力し図３（ａ）に示すようにピックアップ３を１トラック内側にジャンプさせデータを再び再生する。この時バッファメモリへの書き込み制御は、一旦中断させ、再びトラックジャンプさせた時点の信号（ｍ＋ｎ）が再生されてきた時点から、バッファメモリへの書き込みを再開する（図３（ａ）、（ｄ）参照）。
【００２４】
このような動作を行なわせることにより、バッファメモリがオーバーフローしないようにディジタルデータを復号化回路１０へ送出することができる。
【００２５】
以上のように、時間的に圧縮率を変化させたディジタルデータを再生する場合、ディスク再生装置には、バッファメモリを設けその充足度に応じてトラックジャンプを施し、復号化回路９に適したデータ転送レートに合わす必要がある。
【００２６】
また、本発明では２つの層に上記ディジタルデータが記録されているディスクを想定している。そのため、１つの層を再生している途中に、異なるもう１つの層のディジタルデータを再生するような要求が生じる。
【００２７】
このような要求に応えることが本発明の大きな目的である。
【００２８】
そこで、本発明では、これらのピックアップの制御信号を監視し、トラックジャンプ制御及びフォーカスジャンプ制御を正確に行なえるようにする。
【００２９】
以下、その手段を図４及び図５を用いて説明する。
【００３０】
図４にシステム制御用マイコンの動作フローチャートを示す。図５は命令信号と制御信号の一例を示す。
【００３１】
システム制御用マイコン１４は、フォーカスジャンプ命令信号１０２を検出した場合、図４に示すフォーカスジャンプの割り込みルーチンへ処理が移行する。
【００３２】
本実施形態におけるフォーカスジャンプ命令信号１０２は、図５（ａ）に示すようにＬｏｗレベルの時は第１層の再生を、Ｈｉｇｈレベルの時は第２層の再生を要求しているものと仮定する。
【００３３】
図５のＡ点においてフォーカスジャンプ命令信号１０２を検出した場合、システム制御用マイコン１４は、現在トラックジャンプ処理中か否かを判定する。図５（ｂ）に示すようにＨｉｇｈレベルの間はトラックジャンプ処理中であることを表しているため、その処理が終了するまで待機する。そして、トラックジャンプ処理が終了した時点でフォーカスジャンプ制御信号１０４（図５（ｃ）参照）をピックアップ制御回路５へ出力し、図２中の第２層にフォーカスを合わす。
【００３４】
また、Ｂ点においてフォーカスジャンプ命令信号１０２を検出した場合も同様に、トラックジャンプ処理中か否かを判定する。この場合、Ｌｏｗレベルであるので、即座にフォーカスジャンプ制御信号１０４をピックアップ制御回路５へ出力し、図２中の第１層にフォーカスを合わす。本発明は図５に示した信号形態に限定されるものではなくその他の信号形態であってもよい。
【００３５】
このように、本発明の第１の実施形態によれば、バッファメモリとバッファメモリ制御回路を設けることで、時間的に変化する圧縮率で符号化されたディジタルデータを再生することができる。また、システム制御用マイコンにおいて、トラックジャンプ処理の期間中か否かを検出し、処理中でなければ、即座にフォーカスジャンプ制御信号を出力し、処理中であればその処理が終了してからフォーカスジャンプ制御信号を出力する。このような動作を行なうことで複数層にディジタルデータが記録されているディスクに対して、再生したい層を選択的に切換えて再生させることができる。
【００３６】
以上の実施形態において、トラックジャンプ処理の検出およびフォーカスジャンプ制御信号の出力などの制御をすべてシステム制御用マイコン１４にて行なっていたが、本発明はそれに限定されるものではなく、専用の回路を設けて同様な処理を行なっても構わない。
【００３７】
【発明の効果】
以上説明したように、本発明によれば、期間毎（時間的）に変化する圧縮率で符号化したディジタルデータを複数層に記録してなるディスクを、バッファメモリのオーバーフローさせることなく連続的に再生することができ、且つ再生する層を選択的に切換えて再生することができるディスク再生装置を提供できる。
【図面の簡単な説明】
【図１】本発明の第１の実施形態による、ディスク再生装置のブロック図である。
【図２】ディジタルデータが複数層に記録されているディスクの一例を示すディスク断面図である。
【図３】トラックジャンプ制御の概念を説明する図である。
【図４】フォーカスジャンプ制御の動作フローを示すフローチャートである。
【図５】フォーカスジャンプ制御の概念を説明する図である。
【符号の説明】
１  ディスク
２  モータ
３  ピックアップ
４  モータ制御回路
５  ピックアップ制御回路
６  プリアンプ回路
７  ディジタル信号処理回路
８  デ・スクランブル回路
９  バッファメモリ
１０  復号化回路
１１  出力回路
１２  バッファメモリ制御回路
１３  入力端子
１４  システム制御用マイコン
１０１  トラックジャンプ命令信号
１０２  フォーカスジャンプ命令信号
１０３  トラックジャンプ制御信号
１０４  フォーカスジャンプ制御信号
１０５  ピックアップ制御信号
【図１】
0003881711.tif 000002
【図２】
0003881711.tif 000003
【図３】
0003881711.tif 000004
【図４】
0003881711.tif 000005
【図５】
0003881711.tif 000006